【事件の表示】
　特許第３２３５１８３号「ビデオカメラ」の請求項１、２、５に係る特許に対する特許異議の申立てについて、次のとおり決定する。
【結　論】
　訂正を認める。
　特許第３２３５１８３号の請求項１ないし２に係る特許を維持する。
【理　由】
１．手続の経緯
　
　特許第３２３５１８３号の請求項１，２，５に係る発明についての出願は、平成４年６月３日の出願であって、平成１３年９月２８日にその特許についての特許権の設定がなされ、その後、その特許について、特許異議申立人金子和弘により特許異議の申立がなされ、取消理由が通知され、その指定期間内である平成１４年１０月１８日に訂正請求（後日取下げ）がなされた後、再度の取消しの理由が通知され、その指定期間内である平成１４年１２月２４日に訂正請求がなされたものである。
　
　
２．訂正の適否についての判断
　
（１）訂正の内容
　
　特許権者が求めている訂正の内容は、以下（Ａ）ないし（Ｃ）のとおりである。
　
　（Ａ）特許請求の範囲の請求項１を、特許請求の範囲の減縮を目的として、次の通りに訂正する。これに伴い、特許請求の範囲の記載と発明の詳細な説明の記載との整合をとるため、明細書の段落【０００７】、【００１１】及び【００２６】の記載を明瞭でない記載の釈明を目的として、次の通りに訂正する。
「【請求項１】ビデオカメラ本体と、
このビデオカメラ本体に開閉可能に取り付けられた蓋体と、
この蓋体の裏面に設けられたディスプレイ部と、
このディスプレイ部と同一面内にのみ設けられた上記ビデオカメラ本体を操作するための操作ボタン部とを備えたことを特徴とするビデオカメラ。」
「【０００７】
　　【課題を解決するための手段】
　本発明によるビデオカメラは、ビデオカメラ本体と、このビデオカメラ本体に開閉可能に取り付けられた蓋体と、この蓋体の裏面に設けられたディスプレイ部と、このディスプレイ部と同一面内にのみ設けられたビデオカメラ本体を操作するための操作ボタン部とを設けたものである。」
「【００１１】
　　【作用】
　本発明によるビデオカメラは、蓋体の裏面にディスプレイ部を設け、さらにこのディスプレイ部と同一面内にのみ操作ボタン部を設けたことにより、ディスプレイ部、操作ボタン部を蓋体に納めることができる。」
「【００２６】
　【発明の効果】
　以上のように本発明によれば、ビデオカメラ本体と、このビデオカメラ本体に開閉可能に取り付けられた蓋体と、この蓋体の裏面に設けられたディスプレイ部と、このディスプレイ部と同一面内にのみ設けられたビデオカメラ本体を操作するための操作ボタン部とを備えたことにより、ビデオカメラ本体の凹凸をなくすことができ、収納性を向上させることができる。また、各動作に対応してディスプレイ部を見ながら所望の操作ボタン部をすばやく押すことができるとともに、ディスプレイ部の未使用時には操作ボタンが隠れるので、誤動作防止の効果がある。」
　
　（Ｂ）特許請求の範囲の請求項２を、特許請求の範囲の減縮を目的として、次の通りに訂正する。これに伴い、特許請求の範囲の記載と発明の詳細な説明の記載との整合をとるため、明細書の段落【０００８】、【００１２】、及び【００２７】の記載を明瞭でない記載の釈明を目的として、次の通りに訂正する。
「【請求項２】電源の入／切を切り換える切り換えスイッチを有したビデオカメラ本体と、
　蓋体の開閉に連動して、上記切り換えスイッチを動作させる手段とを備えたことを特徴とする請求項１に記載のビデオカメラ。」
「【０００８】
　また、第２の発明によるビデオカメラは、電源の入／切を切り換える切り換えスイッチを有したビデオカメラ本体と、蓋体の開閉に連動して、上記切り換えスイッチを動作させる手段とを設けたものである。」
「【００１２】
　また、第２の発明によるビデオカメラは、蓋体の開閉にともない動作する切り換え手段を設けたことで、蓋体の開閉動作により電源の入／切を切り換えて使用することができる。」
「【００２７】
　また、第２の発明によれば、電源の入／切を切り換える切り換えスイッチを有したビデオカメラ本体に、蓋体の開閉に連動して切り換えスイッチを動作させる手段とを設けたことにより、ビデオカメラの操作を簡略化することができる。」
　
　（Ｃ）特許請求の範囲の請求項５を削除する。これに伴い、特許請求の範囲の記載と発明の詳細な説明の記載との整合をとるため、明細書の段落【００１０】、【００１４】、【００２９】の記載を明瞭でない記載の釈明を目的として、次の通りに訂正する。
「【００１０】
　また、第４の発明によるビデオカメラは、ビデオカメラ本体に開閉可能に取り付けられた蓋体と、この蓋体の裏面に回動可能に取り付けられた保持板と、この保持板に設けられたディスプレイ部とを備え、上記蓋体を開いたときに回動する上記保持板を覆うカバー部を上記蓋体に一体で構成したものである。」
「【００１４】
　さらにまた、第４の発明によるビデオカメラは、ディスプレイ部が設けられた保持板を覆うカバー部を蓋体に一体で設けたことで、ディスプレイ部への外光を遮ることができる。」
「【００２９】
　さらに、また、第４の発明によれば、ビデオカメラ本体に開閉可能に取り付けられた蓋体と、この蓋体の裏面に回動可能に取り付けられた保持板と、この保持板に設けられたディスプレイ部とを備え、上記蓋体を開いたときに回動する上記保持板を覆うカバー部を上記蓋体に一体で構成したことにより、ディスプレイ部へ入り込む外光を確実に遮ることができるので、ディスプレイ情報を見やすくする効果がある。」
　
（２）訂正の目的の適否、新規事項の有無及び拡張・変更の存否
　
　上記訂正事項（Ａ）、（Ｂ）は、特許明細書の段落番号【００１３】【００１４】【００１７】の記載に基づく特許請求の範囲の減縮を目的とした明細書の訂正に該当し、また、特許請求の範囲と発明の詳細な説明との整合をとるための明瞭でない記載の釈明を目的とした明細書の訂正に該当し、いずれも、新規事項の追加に該当せず、実質上特許請求の範囲を拡張し、又は変更するものではない。
　
　上記訂正事項（Ｃ）は、請求項の削除であるから特許請求の範囲の減縮を目的とした明細書の訂正に該当し、また、これに伴う、明瞭でない記載の釈明を目的とした明細書の訂正に該当し、いずれも、新規事項の追加に該当せず、実質上特許請求の範囲を拡張し、又は変更するものではない。
　
（３）独立特許要件
　
　上記訂正（Ｂ）に伴い、訂正明細書の特許請求の範囲の請求項３に係る発明は、訂正された請求項２を引用するものとなるから、特許異議の申立てがなされていない請求項３が結果的に訂正されたこととなり、この訂正は特許請求の範囲の減縮を目的としたものに該当するので、訂正明細書の請求項３に係る発明の独立特許要件について検討する。
　訂正明細書の請求項３に係る発明は、訂正明細書の特許請求の範囲の請求項３に記載された事項により特定されたとおりのものであって、同請求項２に係る発明の構成要件を全て含むものである。
　そして、当該請求項２に係る発明が、下記４．（１）、（２）のように、申立人が提出した刊行物に記載された発明と同一であるとも、また、申立人が提出した刊行物に記載された発明に基づいて当業者が容易に発明できたものとも認めることができない。
　
　しががって、訂正明細書の請求項３に係る発明は、出願の際、独立して特許を受けることができるものである。
　
（４）むすび
　
　上記訂正は、特許法第１２０条の４第２項及び同条第３項において準用する同法第１２６条第２から４項の規定に適合するので、この訂正を認める。
　
　
３．特許異議の申立についての判断
　
（１）申立ての理由の概要
　
　　　申立人金子和弘は、証拠として、
　　　　甲第１号証：特開平４−８４５７１号公報（以下「刊行物１」とい　　　　　　　　　　。）
　　　　甲第２号証：特願平３−３１４４３５号（特開平５−１５３４４８　　　　　　　　　　号公報）（以下「先願明細書」という。）
　　　　甲第３号証：実願平１−６２１７号（実開平２−９８５６３号公報　　　　　　　　　　）のマイクロフィルム（以下「刊行物２」という。）
　　　　甲第４号証：特開平３−１６３６１６号公報（以下「刊行物３」と　　　　　　　　　　いう。）
　　　　甲第５号証：特開平２−７６３７５号公報（以下「刊行物４」とい　　　　　　　　　　う。）
　　　　甲第６号証：実願平１−３８１４７号（実開平２−１３０１６５号　　　　　　　　公報）のマイクロフィルム（以下「刊行物５」という。）
を提出し、本件請求項１、２、５に係る特許発明は、特許法第２９条第１項、第２項ないし同法第２９条の２の規定に違反してなされたものであるから、本件特許発明を取り消すべき旨、主張している。
　
（２）本件発明
　
　上記訂正請求により訂正された訂正明細書の特許請求の範囲の請求項１，２に係る発明（以下「本件発明１，２」という。）は、その請求項１，２に記載された次のとおりのものである。
　なお、異議申立に係る請求項５は上記訂正（Ｃ）により削除された。
　
「【請求項１】ビデオカメラ本体と、
このビデオカメラ本体に開閉可能に取り付けられた蓋体と、
この蓋体の裏面に設けられたディスプレイ部と、
このディスプレイ部と同一面内にのみ設けられた上記ビデオカメラ本体を操作するための操作ボタン部とを備えたことを特徴とするビデオカメラ。
　【請求項２】電源の入／切を切り換える切り換えスイッチを有したビデオカメラ本体と、
　蓋体の開閉に連動して、上記切り換えスイッチを動作させる手段とを備えたことを特徴とする請求項１に記載のビデオカメラ。」
　
（３）刊行物及び先願明細書記載の発明
　
　刊行物１には、とくに映像再生に好適なＶＴＲ一体型カメラシステムに関し、「１．開口部（２１）を有する筐体（２）と、該筐体（２）の開口部（２１）を密閉する蓋（５）と、上記筐体（２）内に挿置された、カセット（３３）を用いるビデオデッキ（２２）と、該ビデオデッキ（２２）のビデオ操作スイッチ（２３）と、該ビデオデッキ（２２）の信号入出力端子（２５）と、バッテリー（２４）、とを備えて構成されたＶＴＲ一体型カメラ（１）において、
　上記開口部（２１）は上記筐体（２）の側面の一部に有り、上記テープカセット（３３）、上記バッテリー（２４）、上記ビデオ操作スイッチ（２３）または信号入出力端子（２５）を上記筐体（２）の開口部（２１）に配置し、上記蓋（５）の内側に液晶ディスプレイ端子を配置し、上記蓋（５）を開き上記開講部（２１）を開成したときに、上記蓋（５）の内側に液晶ディスプレイ（３２）を挿置したことを特徴とするＶＴＲ一体型カメラシステム。」（特許請求の範囲）が記載されている。
　
　同じく、先願明細書には、特に撮影した映像を映し出すモニタを備えたビデオカメラに関し、「【請求項１】撮影した映像信号を映し出すモニタを備えたビデオカメラにおいて、ビデオカメラ本体に外側に開閉可能なパネルを設け、このパネルが開かれた状態で前記映像が見えるようにモニタを配置すると共に、前記パネル上あるいは該パネルが開かれた状態で操作可能なビデオカメラ本体上の位置に各処理装置制御用の操作スイッチを配置したことを特徴とするビデオカメラ。」（特許請求の範囲）、「【００１３】ここで、上記各操作スイッチの中で、モニタパネル３上のモニタ４側に配置されたスイッチ１２１〜１２３及び図２のモニタパネル３が開かれた状態で現われるビデオカメラ本体１上のスイッチ１２４〜１３７は記録時、再生時及び他の機器との編集作業時に使用する操作スイッチであり、図１のモニタパネル３上のモニタ４と反対側（裏側）に配置されたスイッチ１０６〜１２０はそれ以外の他の目的に使用するスイッチである。そして、モニタパネル３の外側のスイッチ１０６ないし１２０は、モニタパネル３が開かれた状態で操作が無効となる。」（３頁左欄２行〜１２行）が記載されている。
　
　同じく、刊行物２には、特に、再生装置とカメラを一体に構成した再生装置付カメラに関し、「第２図に示すように、本考案に係わる再生装置付カメラは、記録再生部４と表示部６からなる箱形本体３４が開閉可能な構造を有している。」（６頁６行〜８行）、「この再生操作部４８の横には、撮影／再生モードを切換えるためのモード切換スイッチ５０が設けられている。このモード切換スイッチ５０は、図示していない制御回路に接続され、第４図に示すように、表示部６を上方に起上せた際には、モード切換スイッチ５０の可動棒５２が延出して再生モードに切換わる。反対に第５図に示すように、表示部６を倒した際には、切換えスイッチ５０の可動棒５２が押込まれて記録モードに切換わる。」（７頁１３行〜８頁１行）が記載されている。
　
　同じく、刊行物３には、リジューム機能を備えた携帯型コンピュータに関し、「本発明は、キーボードを設けた本体にヒンジ機構を介して筐体を兼ねるフラットパネルディスプレイユニットが開閉自在に設けられる携帯型コンピュータに於いて、上記フラットパネルディスプレイの開閉状態を検知するスイッチの信号に従い、本体の処理装置に対して電源のオン／オフ命令を発行する。装置本体の処理装置には上述したサスペンド／リジューム処理を実行するハードウェア及びファームウェアを有し、電源装置には上記処理装置からの命令によって装置本体の電源をオン／オフ制御する手段を設けて、フラットパネルディスプレイの開閉に連動した電源のオン／オフ及びサスペンド／リジューム処理機能を実現する。」（２頁左下欄１４行〜右下欄７行）が記載されている。
　
　同じく、刊行物４には、特に明るい屋外での使用にも好適な液晶ディスプレイファインダーを備えたカメラ一体型ＶＴＲに関し、「第６図は第４図、第５図に示した本発明の第２の実施例の動作説明図であってカバー３５の側面には突起３７を有する扇形の突起板３６が固着され、カバー３５の回転に従って、突起３７は円弧を描く。液晶ディスプレイファインダーＡのケース４５側にはストッパー３８が固着され、ストッパー３８には斜面３９と窪み４０が形成されている。駆動回路２１には電源スイッチ４１と縦方向反転走査切換スイッチ４２が設置されている。電源スイッチ４１には可動突起４３が設置されている。電源スイッチ４１には可動突起４３が、縦方向反転走査切換スイッチ４２には可動突起４４があり、可動突起４３，４４は押し込まれた状態ではＯＦＦし、突き出た状態ではＯＮとなる。第６図（ａ）はカバー３５が閉じられ、レンズ支持台３１が倒された、いわゆる格納時の状態である。この時、突起３６はその平坦部で、電源スイッチ４１の可動突起４３及び縦方向走査切換スイッチ４２の可動突起４４の両方を押し込みＯＦＦとしている。第６図（ｂ）はカバー３５を４５度開き、レンズ支持台３１を引き起した、いわゆる使用状態である。この時、突起板３６の突起３７はストッパー３８の斜面３９に当接し、停止する。突起板３６の平坦部から電源スイッチ４１ははずれ、可動突起４３は突き出るので、電源はオンとなる。しかし、縦方向走査切換スイッチ４２の可動突起４４は突起板３６の平坦部によって押し込まれており、ＯＦＦの状態である。縦方向走査切換スイッチ４２がオフの時、液晶パネル２０の縦方向走査が正常とは逆になるように事前に液晶パネル駆動回路２１を設定しておく。第６図（ｃ）はカバー３５を９０度に開き、レンズ支持台３１を倒し、液晶表示面１５を矢印４３方向（上方向）より見ている状態である。この時、突起板３６の突起３７はストッパ３８の斜面３９を乗り越え、窪み４０に落ち込むみ、カバー３５の動きを停止させる。突起板３６の平坦部から電源スイッチ４１および縦方向走査切換スイッチ４２両方ともはずれ、両スイッチともオン状態となる。縦方向走査切換スイッチ４２がオンの時、液晶パネル２０の縦方向走査が正常に戻るように事前に液晶パネル駆動回路２１を設定しておく。」（５頁左下欄３行〜６頁左上欄３行）が記載されてる。
　
　同じく、刊行物５には、モニタ付ビデオカメラに関し、「第１図及び第２図に本考案の一実施例のビデオカメラ（以下カメラと呼ぶ）の外観斜視図を示す。第１図及び第２図において、１はカメラ本体、２は撮影レンズ、３は撮影画面をモニターしたり、再生画面を観るための比較的大型の液晶モニター（以下モニターと呼ぶ）、４はカメラを持つためのグリップ、５はモニターを収納・取出し方向（矢印ｂ方向）に回動させるためのモニター軸、６はカメラの電源スイッチ、７は撮影録画するための録画スイッチである。」（７頁７行〜１６行）が記載されている。
　
４．対比・判断
　
（１）特許法第２９条第１項について
　
　本件発明１と刊行物１記載の発明とを対比すると、刊行物１に記載された発明は、本件発明１における次に掲げる事項を具備していない。
　「蓋体の裏面に設けられたディスプレイ部と、このディスプレイ部と同一面内にのみ設けられた上記ビデオカメラ本体を操作するための操作ボタン部」
　したがって、本件発明１は、申立人が提出した刊行物１に記載された発明ではなく、特許法第２９条第１項の規定に該当するとはいえない。
　なお、申立人は、本件発明２は刊行物３に記載された発明である旨主張しているが、本件発明２は本件発明１を引用するものであって、刊行物３に記載された発明は、上記事項を具備していないから、本件発明２は、刊行物３に記載された発明ではなく、特許法第２９条第１項の規定に該当するとはいえない。
　
（２）特許法第２９条第２項について
　
　本件発明１と刊行物１ないし５記載の発明とを対比すると、刊行物１ないし５に記載された発明は、本件発明１における上記事項を具備していないし、刊行物１ないし５には、この事項を示唆する記載もなされていない。
　そして、上記事項により、本件発明１は、「ビデオカメラ本体の凹凸をなくすことができ、収納性を向上させることができる。また、各動作に対応してディスプレイ部を見ながら所望の操作ボタン部をすばやく押すことができるとともに、ディスプレイ部の未使用時には操作ボタンが隠れるので、誤操作防止の効果がある。」（【発明の効果】）という効果を奏するものである。
　したがって、本件発明１は、申立人が提出した刊行物１ないし５に記載された発明に基づいて当業者が容易に発明をすることができたものとはいえない。
　
　本件発明２は、本件発明１を引用し、さらに限定事項を付加したものであるから、本件発明１と同様、申立人が提出した刊行物１ないし５に記載された発明に基づいて当業者が容易に発明をすることができたものとはいない。
　
（３）特許法第２９条の２について
　
　本件発明１と先願明細書記載の発明とを対比すると、先願明細書に記載された発明は、本件発明１における上記事項を具備していない。
　　
　したがって、本件発明１は、申立人が提出した先願明細書に記載された発明ではなく、特許法第２９条の２の規定に違反しているとはいえない。
　
　
５．むすび
　
　以上のとおりであるから、特許異議申立ての理由及び証拠によっては、本件発明１ないし２についての特許を取り消すことはできない。
　また、他に本件発明１ないし２についての特許を取り消すべき理由を発見しない。
　
　よって、結論のとおり決定する。
【異議決定日】
平成１５年１月２４日（２００３．１．２４）
【訂正の要旨】
訂正の趣旨
（Ａ）特許請求の範囲の請求項１を、特許請求の範囲の減縮を目的として、次の通りに訂正する。これに伴い、特許請求の範囲の記載と発明の詳細な説明の記載との整合をとるため、明細書の段落【０００７】、【００１１】及び【００２６】の記載を明瞭でない記載の釈明を目的として、次の通りに訂正する。
「【請求項１】　ビデオカメラ本体と、
　このビデオカメラ本体に開閉可能に取り付けられた蓋体と、
　この蓋体
の裏面
　このディスプレイ部と同一面内に
のみ
　　　　　　　　　　　　　　　　　　　　　　　　　　　　　　　　　　　」
「【０００７】
　【課題を解決するための手段】
　本発明によるビデオカメラは、
ビデオカメラ本体と、この
の裏面
のみ
　　　　　　　　　　　　　　　　　　　　　　　　　　　　　　　　　　　」
「【００１１】
　【作用】
　本発明によるビデオカメラは、蓋体
の裏面
のみ
　　　　　　　　　　　　　　　　　　　　　　　　　　　　　　　　　　　」
「【００２６】
　【発明の効果】
　以上のように本発明によれば、
ビデオカメラ本体と、この
の裏面
のみ
ディスプレイ部を見ながら所望の
　　　　　　　　　　　　　　　　　　　　　　　　　　　　　　　　　　　」
（Ｂ）特許請求の範囲の請求項２を、特許請求の範囲の減縮を目的として、次の通りに訂正する。これに伴い、特許請求の範囲の記載と発明の詳細な説明の記載との整合をとるため、明細書の段落【０００８】、【００１２】、及び【００２７】の記載を明瞭でない記載の釈明を目的として、次の通りに訂正する。
「【請求項２】　電源の入／
切を
、
　
蓋
請求項１に記載の
　　　　　　　　　　　　　　　　　　　　　　　　　　　　　　　　　　　」
「【０００８】
　また、第２の発明によるビデオカメラは、電源の入／
切を
、蓋
　　　　　　　　　　　　　　　　　　　　　　　　　　　　　　　　　　　」
「【００１２】
　また、第２の発明によるビデオカメラは、蓋体の開閉にともない動作する切り換え手段を設けたことで、蓋体の開閉動作により電源の入／
切を
　　　　　　　　　　　　　　　　　　　　　　　　　　　　　　　　　　　」
「【００２７】
　また、第２の発明によれば、電源の入／
切を
、蓋
　　　　　　　　　　　　　　　　　　　　　　　　　　　　　　　　　　　」
（Ｃ）特許請求の範囲の請求項５を削除する。これに伴い、特許請求の範囲の記載と発明の詳細な説明の記載との整合をとるため、明細書の段落【００１０】、【００１４】及び【００２９】の記載を明瞭でない記載の釈明を目的として、次の通りに訂正する。
「【００１０】
　また、第４の発明によるビデオカメラは、ビデオカメラ本体に開閉可能に取り付けられた蓋体と、この蓋体の裏面に回動可能に取り付けられた保持板と、この保持板に設けられたディスプレイ部とを備え、上記蓋体を開いたときに回動する上記保持板を覆うカバー部を上記蓋体に一体で構成したものである
。
　　　　　　　　　　　　　　　　　　　　　　　　　　　　　　　　　　　」
「【００１４】
　さらにまた、第４の発明によるビデオカメラは、ディスプレイ部が設けられた保持板を覆うカバー部を蓋体に一体で設けたことで、ディスプレイ部への外光を遮ることができる
。
　　　　　　　　　　　　　　　　　　　　　　　　　　　　　　　　　　　」
「【００２９】
　さらに、また、第４の発明によれば、ビデオカメラ本体に開閉可能に取り付けられた蓋体と、この蓋体の裏面に回動可能に取り付けられた保持板と、この保持板に設けられたディスプレイ部とを備え、上記蓋体を開いたときに回動する上記保持板を覆うカバー部を上記蓋体に一体で構成したことにより、ディスプレイ部へ入り込む外光を確実に遮ることができるので、ディスプレイ情報を見やすくする効果がある
。
　　　　　　　　　　　　　　　　　　　　　　　　　　　　　　　　　　　」
（５４）【発明の名称】
ビデオカメラ
（５７）【特許請求の範囲】
　【請求項１】　ビデオカメラ本体と、
　このビデオカメラ本体に開閉可能に取り付けられた蓋体と、
　この蓋体の裏面に設けられたディスプレイ部と、
　このディスプレイ部と同一面内にのみ設けられた上記ビデオカメラ本体を操作するための操作ボタン部とを備えたことを特徴とするビデオカメラ。
　【請求項２】　電源の入／切を切り換える切り換えスイッチを有したビデオカメラ本体と、
　蓋体の開閉に連動して、上記切り換えスイッチを動作させる手段とを備えたことを特徴とする請求項１に記載のビデオカメラ。
　【請求項３】　ディスプレイ部に対向する位置に内蓋を有し、この内蓋の中側に、記録に用いられる記録媒体を収納する収納部とを備えたことを特徴とする請求項２記載のビデオカメラ。
　【請求項４】　ビデオカメラ本体と、
　このビデオカメラ本体に開閉可能に取り付けられた蓋体と、
　この蓋体の裏面に回動可能に取り付けられた保持板と、
　この保持板に設けられたディスプレイ部とを備え、
　蓋体を開いたときに回動する上記保持板を覆うカバー部を上記蓋体に一体で構成したことを特徴とするビデオカメラ。
【発明の詳細な説明】
　【０００１】
　【産業上の利用分野】
　本発明は、ディスプレイ装置および操作ボタンを有効に配置するようにしたビデオカメラに関するものである。
　【０００２】
　【従来の技術】
　図９は従来のビデオカメラの一例を示す外観図で、１０はビデオカメラ全体を示し、磁気テープに映像信号を記録再生する記録部を収容したビデオカメラ本体１１と、被撮影映像を映すディスプレイ装置１２と、被撮影物を観察するためのゴム製の接眼部１３などから構成されている。
　【０００３】
　このようなビデオカメラ１０で撮影する場合、接眼部１３を通してディスプレイ装置１２を見ることにより現在撮影している映像を確認するとともに、記録した映像を再生することができる。
　【０００４】
　ところで、近年ビデオカメラが普及するに伴い製品に対する要求が多様化しており、特に持ち運び・取り扱いが容易な小型・軽量のいわゆるハンディータイプのビデオカメラにその傾向が大きくなっている。これに伴い当然操作ボタンの数も増えることになり、小型のビデオカメラでは操作ボタンを配置できなくなっている。
　【０００５】
　【発明が解決しようとする課題】
　このため、従来は操作ボタンを小型化するなどの対策をとっているが、操作ボタンの小型化は誤操作の原因になり、ビデオカメラ１０の操作性を低下させてしまう。また従来のディスプレイ装置１２は図のようにビデオカメラ本体１１から突出しているため、この飛び出した部分がカバンなどに収納し難いものとなり、ビデオカメラを持ち運ぶ場合に不都合を生じさせるという問題があった。
　【０００６】
　本発明は上記の様な問題点を解決するためになされたもので、多数の操作ボタンの操作性を低下させることなくディスプレイ装置の収納性を向上させるようにしたビデオカメラを得ることを目的とする。
　【０００７】
　【課題を解決するための手段】
　本発明によるビデオカメラは、ビデオカメラ本体と、このビデオカメラ本体に開閉可能に取り付けられた蓋体と、この蓋体の裏面に設けられたディスプレイ部と、このディスプレイ部と同一面内にのみ設けられたビデオカメラ本体を操作するための操作ボタン部とを設けたものである。
　【０００８】
　また、第２の発明によるビデオカメラは、電源の入／切を切り換える切り換えスイッチを有したビデオカメラ本体と、蓋体の開閉に連動して、上記切り換えスイッチを動作させる手段とを設けたものである。
　【０００９】
　さらに、第３の発明によるビデオカメラは、ディスプレイ部に対向する位置に内蓋を有し、この内蓋の中側に、記録に用いられる記録媒体を収納する収納部とを備えたものである。
　【００１０】
　また、第４の発明によるビデオカメラは、ビデオカメラ本体に開閉可能に取り付けられた蓋体と、この蓋体の裏面に回動可能に取り付けられた保持板と、この保持板に設けられたディスプレイ部とを備え、上記蓋体を開いたときに回動する上記保持板を覆うカバー部を上記蓋体に一体で構成したものである。
　【００１１】
　【作用】
　本発明によるビデオカメラは、蓋体の裏面にディスプレイ部を設け、さらにこのディスプレイ部と同一面内にのみ操作ボタン部を設けたことにより、ディスプレイ部、操作ボタン部を蓋体に収めることができる。
　【００１２】
　また、第２の発明によるビデオカメラは、蓋体の開閉にともない動作する切り換え手段を設けたことで、蓋体の開閉動作により電源の入／切を切り換えて使用することができる。
　【００１３】
　また、第３の発明によるビデオカメラは、ディスプレイ部に対向する位置に内蓋を有し、内蓋の中側に記録媒体を収納するための収納部を備えているので、ディスプレイ部を開いて、内蓋の中側の収納部に記録媒体を収納することができる。
　【００１４】
　さらにまた、第４の発明によるビデオカメラは、ディスプレイ部が設けられた保持板を覆うカバー部を蓋体に一体で設けたことで、ディスプレイ部への外光を遮ることができる。
　【００１５】
　【実施例】
実施例１．
　図１は本発明の第１の実施例を示す外観図、図２は図１のビデオカメラの蓋体を開放した状態の外観図である。図１において、１０はビデオカメラ全体を示し、１４はビデオカメラ本体に取り付けられた蓋体である。また図２において、１５は蓋体の裏面に取り付けられたディスプレイ、１６ａは蓋体の裏面に設けられた操作ボタンで、撮影および再生時に必要な機能を設定してある。１７は蓋体１４開放時にビデオカメラ内部を保護するための内蓋で、この内蓋内に記録媒体であるビデオカセットテープ１８を収納するように構成されている。また、図示されてはいないがディスプレイ１５への映像信号の送り方は、従来ビューファインダへ送られていたのと同様な方法で行なわれている。
　【００１６】
　次に、この動作について説明する。このようなビデオカメラを用いて撮影する場合、まず蓋体１４を矢印Ｚ方向に引いて開放状態にし、ディスプレイ１５を視認可能状態とするとともに操作ボタン１６ａを使用可能状態とし、この状態で操作ボタンを操作して、ディスプレイ１５を用いて撮影映像の確認または再生動作を行なわせることができる。このように蓋体の裏面に操作ボタンを設ければ、ディスプレイ使用時以外は操作ボタンを使用できないので、誤操作を防止することができる。
　【００１７】
実施例２．
　図３は本発明の第２の実施例を示す外観図、図４は図３において、蓋体１４に開閉可能に取り付けられたディスプレイ１５をＹ方向に引いた状態の外観図である。図４において、１６ｂはディスプレイ部の裏に位置する蓋体の表面に設けられた操作ボタンで、撮影および再生時に必要な機能を設定してある。
　【００１８】
　次に、この動作について説明する、図４において、ディスプレイ部１５を矢印Ｙ方向に引き視認可能な状態にすることで、実施例１のビデオカメラと同様に扱うことが可能となる。
　【００１９】
実施例３．
　図５は本発明の第３の実施例を示す外観図である。図において、１９は蓋体裏面に設けられた切り換えスイッチ作動用凸部、２０は蓋体１４を閉じた時に切り換えスイッチ手段１９に対応する位置に設けられた切り換えスイッチ作動用孔である。本実施例では、切り換えスイッチとして電源スイッチを使用している。また、その他の構成は図１、２と同一である。図６は本体内部の切り換えスイッチ２１と切り換えスイッチ作動用凸部１９と切り換えスイッチ作動用孔２０の関係を示す断面図である。
　【００２０】
　次に、この動作について説明する。図５において蓋体１４を矢印Ｘ方向に引くことにより、切り換えスイッチ作動用凸部１９が切り換えスイッチ作動用孔２０から、本体内部の切り換えスイッチ２１を押下する構成になっている。この動作でビデオカメラの操作スイッチの状態の一つである電源状態をＯＮあるいはＯＦＦすることが可能となり、蓋体１４を開放することでビデオカメラのカメラ側電源がＯＮになるので、新たに電源スイッチを設ける必要がなく、操作を簡略化することができる。
　【００２１】
実施例４．
　図７に示す本実施例は上記実施例２のビデオカメラにおいて、ビデオカメラ本体内部の切り換えスイッチを操作ボタン機能切り換えスイッチとして使用したものである。１６ｃは、ビデオカメラ本体上部に設けられた操作ボタンで、蓋体１４の開放時は撮影および再生時に必要な機能を設定しておく。また蓋体１４の閉鎖時、すなわち、ディスプレイ部を使用していない状態で、外部モニター等を利用していることが考えられる。そこで蓋体１４の閉鎖時には、操作ボタン１６ｃに例えば編集機能などを設定しておく。
　【００２２】
　次に、この動作について説明する。前記実施例３と同様に蓋体１１の開閉動作を行なうと、操作ボタン１６ｃの機能を切り換えることができる。このように操作ボタン機能切り換えスイッチを用い、操作ボタンを共用することで、操作ボタンの数を増やすことなく有効に活用することができる。
　【００２３】
実施例５．
　図８に本発明の第５の実施例を示す。本実施例は実施例１、２のビデオカメラと比較して、蓋体１４の裏面に保持板３０を介して液晶ディスプレイ１５が取り付けられ、また前記蓋体１４の端面に一体的に構成された蓋体側面部３１ａと、蓋体１１を閉鎖したときに蓋体側面部３１ａがビデオカメラ本体に係合する位置に設けられた本体凹部３２と、本体凹部３２の上に操作ボタン１６ｄが備えられている。
　【００２４】
　図においてビデオカメラは蓋体１４の開放に伴い、蓋体１４の裏面に取り付けられた保持板３０は回転し、液晶ディスプレイ１５が視認可能状態になるように構成されている。
　【００２５】
　次に、この動作について説明する。図において蓋体１４を矢印Ｚ方向に引くことにより、蓋体１４の天面、底面の両側面に蓋体１４と一体的に構成された蓋体側面部３１ａは、ビデオカメラ１１と蓋体１４の間に出来る隙間のうち、上部の隙間をカバーするような形状になる。したがって蓋体１４とビデオカメラ本体１０の隙間から入り込む外光を遮ることができる。また、本実施例では、ディスプレイ部に液晶ディスプレイが使われているが、当然他のディスプレイの場合も考えられる。
　【００２６】
　【発明の効果】
　以上のように本発明によれば、ビデオカメラ本体と、このビデオカメラ本体に開閉可能に取り付けられた蓋体と、この蓋体の裏面に設けられたディスプレイ部と、このディスプレイ部と同一面内にのみ設けられたビデオカメラ本体を操作するための操作ボタン部とを備えたことにより、ビデオカメラ本体の凹凸をなくすことができ、収納性を向上させることができる。また、各動作に対応してディスプレイ部を見ながら所望の操作ボタン部をすばやく押すことができるとともに、ディスプレイ部の未使用時には操作ボタンが隠れるので、誤操作防止の効果がある。
　【００２７】
　また、第２の発明によれば、電源の入／切を切り換える切り換えスイッチを有したビデオカメラ本体に、蓋体の開閉に連動して切り換えスイッチを動作させる手段とを設けたことにより、ビデオカメラの操作を簡略化することができる。
　【００２８】
　また、第３の発明によれば、ディスプレイ部に対向する位置に内蓋を有し、内蓋の中側に記録媒体を収納する収納部を備えたことにより、ビデオカメラのディスプレイ部を開閉する側から、記録媒体を収納することができる。
　【００２９】
　さらに、また、第４の発明によれば、ビデオカメラ本体に開閉可能に取り付けられた蓋体と、この蓋体の裏面に回動可能に取り付けられた保持板と、この保持板に設けられたディスプレイ部とを備え、上記蓋体を開いたときに回動する上記保持板を覆うカバー部を上記蓋体に一体で構成したことにより、ディスプレイ部へ入り込む外光を確実に遮ることができるので、ディスプレイ情報を見やすくする効果がある。
【図面の簡単な説明】
　【図１】
　本発明の一実施例であるビデオカメラを示す外観図である。
　【図２】
　本発明の一実施例であるビデオカメラにおいて蓋体を開放した状態の外観図である。
　【図３】
　本発明の実施例２を示す外観図である。
　【図４】
　本発明の実施例２のビデオカメラにおいて、ディスプレイ部を視認可能状態にした図である。
　【図５】
　本発明の実施例３を示す外観図である。
　【図６】
　本発明の実施例３を示すビデオカメラ本体内部の切り換えスイッチの図５における要部断面図である。
　【図７】
　本発明の実施例４を示す外観図である。
　【図８】
　本発明の実施例５を示す外観図である。
　【図９】
　従来のビデオカメラを示す外観図である。
　【符号の説明】
　１１　ビデオカメラ本体
　１２　ディスプレイ装置
　１３　接眼部
　１４　蓋体
　１５　ディスプレイ部
　１６　操作ボタン
　１７　内蓋
　１８　ビデオカセットテープ
　１９　切り換えスイッチ作動用凸部
　２０　切り換えスイッチ作動用孔
　２１　切り換えスイッチ
　３０　保持板
　３１　蓋体側面部
　３２　本体凹部